(57)【要約】【課題】軒下や屋根に設置したノズルから噴霧する水道水の冷却ミストによって、蚊などの虫が誘引されないことが望ましく、芳しい香りは好ましい。虫よけや芳香効果がある成分を水に混入しながら混入水の圧送や噴霧を可能にする、電気や人力が不要な微量成分の混入器を提供する。【解決手段】水道蛇口から噴霧ノズルまでの配管途中に配した圧力容器で、該圧力容器内に、有効成分の担持体の粒を適量入れ、水道水を通水することによって、水道蛇口からの流入水に該担持体の粒から溶け出す有効成分を含ませることができる。また、水道水を通水することによって、微量の有効成分（アロマ水溶液、芳香剤、消臭剤、忌避剤、抗菌水、活性水等）を混入しながら、有圧の混入水として吐出する。【選択図】図１
2016116500.tif 000002
【特許請求の範囲】
【請求項１】
水道蛇口から散水又は噴霧ノズルまでの配管途中に配した圧力容器であって、
該圧力容器内に、有効成分の担持体の粒を適量入れ、
水道水を通水することによって、
該水道蛇口からの流入水に溶け出す微量の有効成分を含ませることができる、
ことを特徴とする混入器。
【請求項２】
有効成分が、アロマ水溶液、芳香剤、消臭剤、忌避剤、抗菌水、酵素水、活性水から選ばれた
ことを特徴とする請求項１に記載の担持体。
【発明の詳細な説明】
【技術分野】
【０００１】  この発明は、水道水への微量成分の混入器に関する。
【背景技術】
【０００２】  夏季の安価な冷房や省電力手段として、近年、盛んに軒下や屋根等にノズルを設置して、水道水が噴霧されている。【０００３】  また、圧縮空気を用いて、消臭剤や殺虫剤等の成分を含むミストの噴霧器が広く用いられている。
【先行技術文献】
【特許文献】
【０００４】
【特許文献１】特開２０１３−０４６６００号公報
【特許文献２】特開２０１１−１８９３３０号公報
【発明の概要】
【発明が解決しようとする課題】
【０００５】  軒下や屋根に設置したノズルから噴霧する水道水の冷却ミストによって、蚊などの虫が誘引されないことが望ましく、芳しい香りは好ましい。虫よけや芳香効果がある成分を水に混入しながら混入水の圧送や噴霧を可能にする、電気や人力が不要な混入方法が求められている。【０００６】  特許文献１に開示されているミスト散水装置では、アロマ精油を含む溶液を蓄える容器を設置して、水道水で希釈しながら畜圧容器に希釈液を封入し、散水・噴霧している。この装置は、一定量の畜圧容器内に蓄えた希釈液を、水道から離れた場所に移して散水・噴霧する装置であって、水道水を連続的に希釈しながら用いることには適さない。【０００７】  本発明は上記事項に鑑みてなされたものであり、電気や人力が不要な微量成分の混入器を提供することにある。
【課題を解決するための手段】
【０００８】  本発明の微量成分の混入器は、
水道蛇口から噴霧ノズルまでの配管途中に配した圧力容器で、
該圧力容器内に、特許文献２に開示されている有効成分の担持体の粒を適量入れ、
水道水を通すことによって、
水道蛇口からの流入水に該担持体の粒から溶け出す有効成分を含ませることができる、
ことを特徴とする。【０００９】  また、水道水を通水することによって、
微量の有効成分（アロマ水溶液、芳香剤、消臭剤、忌避剤、抗菌水、活性水等）を混入しながら、有圧の混入水として吐出すること
を特徴とする。
【発明の効果】
【００１０】  本発明に係る微量成分の混入器は、
水道の水と圧力を利用し、
アロマ水溶液、芳香剤、消臭剤、忌避剤、抗菌水、活性水等の
微量の有効成分を水に混入しながら、圧力水として吐出されることから、
エア源や電源を必要としない。【００１１】  本発明によれば、
微量の有効成分を混入した圧力水として吐出されるため、
チューブ配管等によって前記圧力水を圧送することや、
ノズル等によって噴霧や散水することや、
畜圧容器に封入することができる。
【図面の簡単な説明】
【００１２】
【図１】混入器の図式図である。
【図２】混入器の実施図である。
【発明を実施するための形態】
【００１３】  図１を参照しつつ、本実施の混入器について説明する。混入器（１）は、図１に示すように、本体（１１）と流入管（１２）、  ストレーナー（１３）、容器（１４）、バルブ（１５）を備える。
【００１４】  本体（１１）には、水道水からの供給口（ＩＰ）と吐出口（ＯＰ）とを有し、前記流入管（１２）と前記ストレーナー（１３）と前記容器（１４）が装着されている。前記容器（１４）は、本体（１１）とのシール性が必要であるためパッキン（１７）を備え、また容易な奪着と強固な固定が可能な把持機構を持ち、圧抜き用のバルブ（１５）を備えている。
【００１５】  前記供給口（ＩＰ）から流入した水は、前記流入管（１２）を介して前記容器（１４）に到り、前記容器（１４）内の担持体の粒（１６）に触れながら前記ストレーナー（１３）を通り抜け、前記吐出口（ＯＰ）から排出される。
【００１６】  次に、図２を参照しつつ、実施の形態について説明する。水道蛇口（２１）から出た水は、給水ホース（２２）を介し前記混入器（１）に流入し、前記吐出口（ＯＰ）から排出する。
【００１７】  前記担持体の粒（１６）から溶け出した有効成分を混入した混入水は、前記吐出口（ＯＰ）から排出し、チューブ（２３）を介してノズルａ（２４ａ）、ノズルｂ（２４ｂ）から噴霧される。
【００１８】  ここで、前記ノズル（２４ａ、２４ｂ）から噴霧される有効成分の混入水ミストについて説明する。
該混入器（１）の中において溶け出す有効成分とは、微量のアロマ水溶液、芳香剤、消臭剤、忌避剤、抗菌水、活性水等に含まれる成分であって、濃度と担持体の材質や大きさとの組み合わせは使用目的によって決められる。
【００１９】  例えば、小さな噴霧器を用いて虫よけや芳香スプレーとして使われるアロマ精油を含むアロマ水溶液５０ｍｌは、シトロネラ、レモンユーカリ、ラベンダー等のアロマ精油の中から選んで、１０滴を５ｍｌの無水エタノールに入れて混ぜ合わせ、更に精製水４５ｍｌを加えて作ることができる。
【００２０】  アロマ精油を含む水溶液は、密封状態で冷暗所に数ケ月の保存が可能なので、１シーズンに必要な溶液をまとめて作り置くことができる。
【００２１】  前記アロマ水溶液にアルギン酸ナトリウムを１％加えた粘性液を、１０％塩化カルシウム溶液中に滴下することによってφ３〜φ５程度の球形のアロマ担持体（アルギン酸ビーズ、人工イクラ）ができる。該アロマ担持体は前記塩化カルシウム溶液中で長期間の冷蔵保存ができる。
【００２２】  あるいは、水約２５０ｍｌに粉末寒天４ｇを入れて火にかけ、かき混ぜながら煮溶かし、１〜２分間沸騰を続けたあと、火を止めて熱を冷まし、常温で固まる前に前記アロマ水溶液２５０ｍｌを加えて、かき混ぜながら冷ますと固まり、賽の目に切るとサイコロ寒天状のアロマ担持体が約５００ｇできる。
【００２３】  通常、アロマ精油は室内で加熱蒸発させて、アロマテラピーとして楽しむものであるが、アロマ水溶液を微細なミストに含ませて、冷却、芳香、虫よけ効果等を期待して屋外で用いることは、「従来のアロマの常識を打ち破る画期的な方式」と、本発明のアロマ水溶液の製法などの指導を行った広島アロマセラピースクールの西川公矩校長は語っている。
【００２４】  本混入器を介してノズルから噴出するアロマ混入水のミストから放たれる香りは、身体や衣服に触れると気化し香り立つが、身体や衣服に触れないと香りは微少で感じない。芳香を嫌う人は、直接ミストを浴びなければ良いし、好む人は浴びれば良いが、蚊や蝿は逃げると言われている。因みに、前記レモンユーカリのアロマ油は蚊などの忌避剤として薬局等で売られている。
【００２５】  特許文献１に開示されているミスト散水装置では、アロマ精油を含む溶液を蓄える容器を設置して、水道水で希釈しながら畜圧容器に希釈液を封入し、散水・噴霧しているが、本混入器を介してアロマ成分の混入水を直接封入することができるので、アロマ精油を含む溶液を蓄える容器は不要となる。
【００２６】  上記では、アロマ水溶液を例にとり説明したが、本器は、消臭効果や植物などの生体に対して活性効果があると言われるパパイヤ酵素水やセラミック活水器による活性水のミスト噴霧、また、植物にとって好ましい成分を含む水やり噴霧等、種々の用途に用いられ得る。
【００２７】  水道水は、上質の圧力水あるいは有圧の温水であっても良く、水道事業による上水に限定するものではない。
【００２８】  本発明は、本発明の広義の精神と範囲を逸脱することなく、様々な実施の形態及び変形が可能とされるものである。また、上述した実施の形態は、本発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、本発明の範囲内とみなされる。
【符号の説明】
【００２９】  １    混入器
１１    本体
１２    流入管
１３    ストレーナー
１４    容器
１５    バルブ
１６    担持体の粒
１７    パッキン
２１    水道蛇口
２２    給水ホース
２３    チューブ
２４ａ  ノズルａ
２４ｂ  ノズルｂ
ＩＰ    供給口
ＯＰ    吐出口
【図１】
2016116500.tif 000003
【図２】
2016116500.tif 000004